【事件の表示】
　特願２００３−３４２６１６「汎用入力デバイス」拒絶査定不服審判事件〔平成１６年　６月１０日出願公開、特開２００４−１６４６０９〕について、次のとおり審決する。
【結　論】
　本件審判の請求は、成り立たない。
【理　由】
１．手続の経緯
　本願は，平成１５年９月３０日（パリ条約による優先権主張２００２年１０月３１日，米国）の出願であって，平成１８年９月１２日付けで手続補正がなされ，同年１０月３０日付けの拒絶の理由の通知に対して，平成１９年２月６日付けで意見書が提出されたが，同月２１日付けで拒絶をすべき旨の査定がされ，これに対し同年５月２４日に拒絶査定不服審判の請求がなされるとともに，同年６月２５日付けで手続補正がなされたものである。
　
２．平成１９年６月２５日付けの手続補正についての却下の決定
［結論］
　平成１９年６月２５日付けの手続補正を却下する。
［理由］
（１）本件補正
　平成１９年６月２５日付けの手続補正（以下「本件補正」という。）は，平成１８年９月１２日付けの手続補正書の特許請求の範囲の請求項１（以下「補正前の請求項１」という。）を，平成１９年６月２５日付けの手続補正書の特許請求の範囲の請求項１（以下「補正後の請求項１」という。）に補正したものである。補正前の請求項１及び補正後の請求項１は，以下のとおりである。
　
補正前の請求項１
「手書きのストロークを表すデータを生成するための入力デバイスであって、
　該入力デバイスが上部に位置するオブジェクトのエリアの画像を取り込み、取り込まれた画像データを生成するための画像取り込みユニットであって、該手書きのストロークを表すデータは該取り込まれた画像データから抽出された位置情報から割り出される、ユニットと、
　前記取り込まれた画像データを処理するプロセッサと、
　前記データを記憶するメモリとを具備し、
　前記オブジェクトは、ディスプレイ内のエリアの位置情報を提供する画像パターンを含むコンピューティングデバイスのディスプレイを有し、
　前記入力デバイスが上部に位置する前記エリアの前記画像は、前記オブジェクトの前記エリアの位置を表す画像データを含み、
　前記オブジェクトの前記エリアの位置を表す前記画像データは、前記オブジェクトの前記エリアの前記位置を表す画像パターンを含み、
　前記オブジェクトの前記エリアの前記位置を表す前記画像パターンは、迷路様のパターンの一部を含むことを特徴とする入力デバイス。」
　
補正後の請求項１
「手書きのストロークを表すデータを生成するための入力デバイスであって、
　前記入力デバイスに加わる押圧力を検出する圧力センサと、
　前記入力デバイスが上部に位置するオブジェクトのエリアの画像を取り込み、取り込まれた画像データを生成するための画像取り込みユニットであって、前記手書きのストロークを表すデータは前記取り込まれた画像データから抽出された位置情報から割り出され、
該画像取り込みユニットは前記押圧力の検出時に前記画像を取り込むように設定されている、画像取り込みユニットと、
　前記取り込まれた画像データと前記押圧力を処理するプロセッサと、
　前記データを記憶するメモリとを具備し、
　前記オブジェクトは、ディスプレイ内のエリアの位置情報を提供する画像パターンを含むコンピューティングデバイスのディスプレイを有し、
　前記入力デバイスが上部に位置する前記エリアの前記画像は、前記オブジェクトの前記エリアの位置を表す画像データを含み、
　前記オブジェクトの前記エリアの位置を表す前記画像データは、前記オブジェクトの前記エリアの前記位置を表す画像パターンを含み、
　前記オブジェクトの前記エリアの前記位置を表す前記画像パターンは、迷路様のパターンの一部を含むことを特徴とする入力デバイス。」
　
　そこで，本件補正が，特許法第１７条の２第４項各号に規定する目的に該当するかについて以下に検討する。
　
（２）当審の判断
　本件補正では，補正前の請求項１に「前記入力デバイスに加わる押圧力を検出する圧力センサと」を付加する補正が行われているが，「圧力センサ」は，補正前の請求項１に記載した発明を特定するために必要な事項のいずれを概念的に下位にしたものであるとはいえないから，この補正は，補正前の請求項１に記載した発明を特定するために必要な事項の限定であるとはいえない。よって，この補正は，特許法第１７条の２第４項第２号に規定する特許請求の範囲の減縮を目的とするものに該当しない。また，この補正は，同項第１号，第３号及び第４号に規定する請求項の削除，誤記の訂正及び明りようでない記載の釈明を目的とするものにも該当しないことは明らかである。
　したがって，本件補正は，特許法第１７条の２第４項の規定に違反する。
　
（３）むすび
　以上のとおり，本件補正は，平成１８年法律第５５号改正附則第３条第１項によりなお従前の例によるとされる同法による改正前の特許法第１７条の２第４項の規定に違反するので，同法第１５９条第１項において読み替えて準用する同法第５３条第１項の規定により却下すべきものである。
　
３．本願発明について
　平成１９年６月２５日付けの手続補正は上記のとおり却下されたので，本願の請求項１に係る発明（以下「本願発明」という。）は，平成１８年９月１２日付けの手続補正書の特許請求の範囲の請求項１に記載された事項により特定されるとおりのものである。
　
（１）引用例の記載
（ａ）引用例１
　原査定の拒絶の理由に引用された特開２００２−８２７６３号公報（平成１４年３月２２日出願公開。以下「引用例１」という。）には，図面とともに次の事項が記載されている。
　
Ａ．「【０００１】
【発明の属する技術分野】本発明は、座標入力システムに係り、詳しくは、座標を特定するための光学的情報を用いることにより、指示した位置の座標を入力する技術に関する。
【０００２】
【従来の技術】従来、座標を検出するための技術としては、たとえば、ライトペン等の光学情報を読取る手段を用いてＣＲＴ（Cathode Ray Tube) の表示画面上の座標を検出するもの、および、抵抗圧式または静電容量式または電磁誘導式などの方式によってタブレット上の座標をスタイラスペン等で検出するものなどがある。
【０００３】ライトペン等を用いた座標入力システムの場合は、ライトペン等が受光した光学量とＣＲＴの表示画面における走査線の時刻変化とを照合することにより、ライトペン等によって指示された位置の座標を識別できるように構成されている。したがって、この装置は、専ら、ＣＲＴの表示画面上の座標を検出するために用いられる。
【０００４】また、抵抗圧式、静電容量式、電磁誘導式などによるタブレットを備えたシステムの場合は、タブレットとＣＲＴ等の表示手段とが組合せて用いられることが多く、タブレット上の座標指示範囲と表示手段の表示画面とが対応づけられ、タブレット上でスタイラスペンを移動させると、それに応じて表示画面上でカーソルが移動するように構成されている。
【０００５】前述したものに代表される座標を検出するための技術は、パーソナルコンピュータやワークステーションや電子手帳などにおける入力手段またはビデオデッキや電子レンジなどの家電製品における操作手段などに応用される重要な技術であり、様々な提案がなされている。」（第２ページ第１欄第２２行目〜同ページ第２欄第３行目）
　
Ｂ．「【００１４】図１は、本実施例による座標入力装置の基本構成を示すための一部模式図を含むブロック図である。座標入力装置２１は、表示部２３と、光学ペン２５と、座標パターン発生部２７と、表示制御部２９と、ドット検出部３１と、データ補正部３３と、座標検出部３５と、情報制御部３７とを含む。表示部２３は、後記図２，３に示す光学的情報を表示するためのものであり、ＣＲＴやＬＣＤまたはプラズマ表示装置などの画像表示装置によって構成する。光学ペン２５は、表示部２３上の位置を指示するとともに、その指示した位置における光学的情報を読取るための手段である。光学ペン２５の詳細構成については、図５，６を参照して後述する。
【００１５】表示部２３上の座標を特定するための情報（以下、「座標パターン」という）は、座標パターン発生部２７が生成する。生成された座標パターンのデータを表示制御部２９が表示部２３に表示させる。
【００１６】光学ペン２５は、表示部２３上の所定の領域の情報を読取ることができるように構成されている。光学ペン２５は、ペン先が表示部２３に接すると、その位置における光学的情報を読取る。光学ペン２５が読取ったデータは、ドット検出部３１に送られる。ドット検出部３１は、後記図２に示す座標パターンに含まれるドットイメージを検出し、検出したドットイメージのデータをデータ補正部３３に送る。データ補正部３３は、受け取ったドットイメージデータに対して、後述する補正処理を施し、補正後のデータを座標検出部３５へ送る。座標検出部３５は、補正後のドットイメージデータに基づいて、光学ペン２５が指示した位置の座標を検出する。
【００１７】座標入力装置２１における前述した一連の動作は、情報制御部３７によって制御される。情報制御部３７は、表示制御部２９に対して、表示部２３の表示動作を制御させるための制御指令信号を送るとともに、座標検出部３５が検出した座標データを受け取る。
【００１８】前記表示部２３により、表示手段が構成されている。前記表示制御部２９により、特定情報表示制御手段が構成されている。前記ドット検出部３１とデータ補正部３３と座標検出部３５とにより、判定手段が構成されている。
【００１９】図２は、表示部２３に表示される座標パターンの構成を示す模式図である。例示した構成は、表示部２３の表示面が、横方向０〜６３９，縦方向０〜２３９の６４０×２４０個のドットを含む場合のものである。座標パターンは、横方向において横両端を除き６ドット単位に分割され、縦方向においても６ドット単位に分割されることにより、全体として１０６×４０個のブロックを有するように構成されている。
【００２０】各ブロックの横方向の位置は、０ＢＫｘ〜１０５ＢＫｘのブロック番号によって表わされ、同様に、縦方向の位置は、０ＢＫｙ〜３９ＢＫｙのブロック番号によって表わされる。表示面の横両端には、２×６個のドットを含むブロックが形成されている。各ブロックの左端の６ドットと上端の６ドット（横両端のブロックについては２ドット）とは、常時、黒色を表示する。その他のドットについては、必要に応じて白色または黒色を表示する。なお、「黒色を表示する」とは、実際にはそのドットの表示がＯＦＦ（非表示）であることをいう。
【００２１】図３は、前記図２に示した座標パターンにおける１つのブロックの構成を示す模式図である。同図を参照して、ブロックに含まれる６×６個のドットによって表わされる情報について説明する。ブロックに含まれるドットは、横方向のα１〜α６と、縦方向のβ１〜β６との番号によってその位置が識別される。たとえば、ブロック内において最左上の位置にあるドットは、α１β１、最右上の位置にあるドットはα６β１というように識別される。各ドットには、「０」または「１」の表示データが与えられる。表示データが１の場合は、前記図２に示した座標パターンにおいて、そのドットが黒色（非表示）であり、表示データが０の場合は白色（表示）である。
【００２２】ブロック内における最上端のドットと、最左端にあるドット、すなわちα１β１〜α６β１とα１β２〜α１β６とのドットには、表示データとして「１」を与える。これにより、前記図２に示した座標パターンにおいて、ブロックとブロックとの境界線上にあるドットが黒色となり、座標パターン全体としてブロックごとに表示領域が分割された格子状のイメージパターンが表示されることになる。
【００２３】また、α２β２のドットに対して表示データ「１」を与え、α３β２〜α６β２と、α２β３〜α２β６とのドットに対して表示データ「０」を与える。さらに、ブロック内における最右下の位置にあるα６β６のドットに対して表示データ「０」を与える。
【００２４】以上の各ドットに与えた表示データ「１」または「０」は、前記図２に示した座標パターンにおいて固定のデータとする。表示データ「１」を与えたα２β２のドットは、１つのブロックにおける座標の基準を表わすドットである。このドットのことを以下の説明では座標基準点という。
【００２５】前述したようにブロック内の最上端のドットおよび最左端のドットと、座標基準点と、座標基準点に対して同じ行および同じ列にあるドットと、ブロック内の最右下の位置にあるドットとに対して、固定の表示データを与えている。これにより、当該ブロックのイメージを読取ったときに、どのドットが座標基準点であるかということとイメージの上下左右方向とを常に識別できるようにしている。
【００２６】ブロック内における固定の表示データを与えられたドット以外の１５個のドットは、座標パターン全体における当該ブロックの相対位置を表わす情報を表示するために用いられる。α３β３〜α６β３とα３β４〜α６β４の８個のドットには、それぞれＸ０〜Ｘ７の識別番号が与えられる。また、α３β５〜α６β５とα３β６〜α５β６の７個のドットには、それぞれＹ０〜Ｙ６の識別番号が与えられる。
【００２７】Ｘ０〜Ｘ７のドットは、それぞれの表示のＯＮ／ＯＦＦにより、前記図２に示した座標パターンにおける横方向の０ＢＫｘ〜１０５ＢＫｘの番号を表わす。また、Ｙ０〜Ｙ６のドットは、同様に座標パターンにおける縦方向の０ＢＫｙ〜３９ＢＫｙの番号を表わす。本実施例に示すような６×６個のドットを含むブロックの場合は、ブロックの位置を表わすために、横方向に８個のドット、縦方向に７個のドットを使用できるので、理論上、横方向には０ＢＫｘ〜２５５ＢＫｘの最大２５６個のブロック番号を表わすことができ、縦方向には０ＢＫｙ〜１２５ＢＫｙの最大１２６個のブロック番号が定義できる。なお、定義可能な座標空間の大きさを変更する場合には、１つのブロックに含まれるドットの数を増減することにより容易に調整することができる。
【００２８】図４は、前記図２に示した座標パターンの反転イメージの構成を示す模式図である。座標パターンの反転イメージは、各ドットの表示のＯＮ／ＯＦＦを逆転させたものである。本実施例では、座標パターンを表示部２３に表示するにあたり、座標パターンとその反転イメージとを所定のタイミングで切換えて表示することを繰返させる。
【００２９】具体的には、前記図１に示した表示制御部２９が、座標パターン発生部２７から出力された座標パターンのデータを受け取り、表示部２３に座標パターンを表示させる。そして、所定のタイミングで表示部２３の各ドットのＯＮ／ＯＦＦを切換制御することにより、前記図２に示した座標パターンと前記図４に示した反転イメージとが切換表示されるように表示部２３を制御する。
【００３０】このように、座標パターンとその反転イメージとを切換表示することにより、表示部２３を見る者には、残像効果により各ドットが灰色で認識される。したがって、使用者は、座標パターンが表示されていることを意識しないで座標入力を行なえる。図２の座標パターンと図４の座標パターンの表示時間がほぼ等しくなるように制御することにより、この座標パターンは、使用者に意識されなくなる。
【００３１】座標パターンとその反転イメージとを表示部２３に切換表示する動作は、表示部２３に通常の画像を表示する動作の合間に行なう。通常の画像とは、座標入力装置２１が適用されるシステムの種類によって様々である。たとえば、座標入力装置２１がＣＡＤ（Computer Aided Design)システムなどに用いられている場合には、通常の画像は、設計図面の画像やシステム操作メニューの画像である。
【００３２】表示部２３に通常の画像を表示している合間に座標パターンおよびその反転イメージを切換表示する動作は、表示制御部２９（図１参照）が情報制御部３７からの制御指令に応答して制御する。また、光学ペン２５（図１参照）は、表示部２３に座標パターンまたはその反転イメージが表示されているタイミングに合わせて読取り動作を行なう。そして、図２と図４の座標パターンの表示時間よりも通常の画像のパターンの表示時間を長くすることにより、図２，図４のパターンが表示されることにより表示画面が灰色がかる度合を低減させることができる。
【００３３】前記座標パターンが、特定の情報と平面上の座標を特定するための情報とに対応する。また、前記座標パターンに含まれるブロックが、一定間隔に分割された区画に対応する。前記図３に示したＸ０〜Ｘ７とＹ０〜Ｙ６のドットを含む領域とがそれぞれ第１の方向の位置を特定するための情報を含む領域と、第２の方向の位置を特定するための情報を含む領域とに対応する。
【００３４】前述の表示制御部２９による座標パターンとその反転イメージとを表示部２３に切換表示させる制御動作において、座標パターンを表示する動作により、第１の画像を所定時間前記画像表示手段上に表示するステップが構成され、反転イメージを表示する動作により、同第１の画像の反転画像を前記表示するステップに引続き所定時間前記画像表示手段上に表示するステップが構成されている。
【００３５】また、前述の表示制御部２９による通常の画像の表示動作の合間に座標パターンとその反転イメージとを切換表示する制御動作において、通常の画像を表示する動作により、通常の画像を表示するステップおよび前記通常の画像表示をするステップが構成され、座標パターンとその反転イメージとを表示する動作により、同通常の画像表示中の所定のタイミングで前記情報を表示するステップが構成されている。
【００３６】図５は、光学ペン２５（図１参照）の基本構成を示す模式図である。光学ペン２５は、集光レンズ３９と、ＣＣＤ（Charge Coupled Device)４１と、信号処理部４３と、送信部４５と、電源４７と、圧電素子４９とを含む。この構成において、表示部２３から発せられる座標パターン（図２参照）のうちの所定範囲の読取領域の光４０が、集光レンズ３９によってＣＣＤ４１の受光面上に集光され、ＣＣＤ４１が読取領域に含まれる座標パターンの画像を読取る。ＣＣＤ４１によって読取られた画像情報は、信号処理部４３に送られる。信号処理部４３は、読取画像の情報をデータ信号に変換して送信部４５に送る。送信部４５は、通信手段である信号線４６を介してデータ信号をドット検出部３１（図１参照）に送信する。
【００３７】以上の一連の読取動作は、光学ペン２５の先端が表示部２３に接しているときに行なわれる。すなわち、集光レンズ３９の接着部に設けられた圧電素子４９が、集光レンズ３９が表示面２３に接していることを示す信号を信号処理部４３に送る。この信号が送られてきたことに応答して、信号処理部４３は、ＣＣＤ４１の読取出力を処理するように動作する。」（第３ページ第３欄第１５行目〜第５ページ第７欄第２０行目）
　
Ｃ．「【００４４】図９は、座標入力装置の別の変形例を示す一部模式図を含むブロック図である。前記図１に示した構成では、ドット検出部３１とデータ補正部３３と座標検出部３５とを座標入力装置２１の本体側に設け、光学ペン２５は読取機能のみを有するようにしたが、図９に示す構成では、光学ペン２２５の内部にドット検出機能とデータ補正機能と座標検出機能とを備え、座標入力装置２２１の本体側の構成を簡素にしている。
【００４５】図１０は、前記図９に示した座標入力装置２２１に用いられる光学ペン２２５の基本構成を示す模式図である。光学ペン２２５の内部には、前記図１に示したドット検出部３１とデータ補正部３３と座標検出部３５とのそれぞれと同様の機能を有するドット検出部２３１とデータ補正部２３３と座標検出部２３５とが備えられている。送信部２４５は、座標検出部２３５から送られてきた座標データを信号線２４６を介して情報制御部３７（図９参照）に送信する。」（第５ページ第８欄第４４行目〜第６ページ第９欄第１０行目）
　
　以上の記載によれば，引用例１には，次の発明（以下「引用発明」という。）が記載されている。
　
「座標入力装置２２１は，表示部２３と，光学ペン２２５と，座標パターン発生部２７と，表示制御部２９と，情報制御部３７とを含み，
　表示部２３は，光学的情報を表示するためのものであり，ＣＲＴやＬＣＤまたはプラズマ表示装置などの画像表示装置によって構成し，
　表示部２３上の座標を特定するための情報（座標パターン）は，座標パターン発生部２７が生成し，生成された座標パターンのデータを表示制御部２９が表示部２３に表示させ，
　座標パターンは，横方向において横両端を除き６ドット単位に分割され，縦方向においても６ドット単位に分割されることにより，全体として１０６×４０個のブロックを有するように構成され，
　光学ペン２２５は，集光レンズ３９と，ＣＣＤ（Charge Coupled Device)４１と，信号処理部４３と，ドット検出部２３１と，データ補正部２３３と，座標検出部２３５と送信部２４５と，電源４７と，圧電素子４９とを含み，
　光学ペン２２５は，表示部２３上の位置を指示するとともに，その指示した位置における光学的情報を読取るための手段であり，表示部２３上の所定の領域の情報を読取ることができ，
　表示部２３から発せられる座標パターンのうちの所定範囲の読取領域の光４０が，集光レンズ３９によってＣＣＤ４１の受光面上に集光され，ＣＣＤ４１が読取領域に含まれる座標パターンの画像を読取り，ＣＣＤ４１によって読取られた画像情報は，信号処理部４３に送られ，
　信号処理部４３は，読取画像の情報をデータ信号に変換して，ドット検出部２３１に送り，
　ドット検出部２３１は，座標パターンに含まれるドットイメージを検出し，検出したドットイメージのデータをデータ補正部２３３に送り，
　データ補正部２３３は，受け取ったドットイメージデータに対して，補正処理を施し，補正後のデータを座標検出部２３５へ送り，
　座標検出部２３５は，補正後のドットイメージデータに基づいて，光学ペン２２５が指示した位置の座標を検出し，座標データを送信部２４５に送り，
　送信部２４５は，座標検出部２３５から送られてきた座標データを信号線２４６を介して情報制御部３７に送信する，
　光学ペン２２５。」
　
（ｂ）引用例２
　原査定の拒絶の理由に引用された米国特許出願公開第２００２／００２０７５０号明細書（２００２年２月２１日出願公開。以下「引用例２」という。）には，図面とともに次の事項が記載されている。
　
Ａ．「[0076]  The user can click a button (not shown) on pointer  502 , providing a signal similar to a mouse click, while the camera on the pointer is capturing an image of machine-readable markings either at a certain location on a physical page of document  2 , or on a small sticker  2’ on display  4 . Sticker  2’ can be formed from a coded substrate. 
[0077]  Processing circuitry receiving input signals from a camera in pointer  502  can decode the machine-readable markings to obtain two pieces of dataΔa page-identifier (pid) or sticker identifier (pid’) and a location code (loc or loc’) indicating localisation on the page or sticker. These decoding actions are shown as dotted lines extending from document  2  and sticker  2’ to pointer  502 .」（第５ページ段落［００７５］〜［００７６］）
　
Ｂ．「[0130]   FIG. 6A  shows a disposition of zones on a page, suggesting how a location code could be based on successive divisions of regions of the page into quadrants rather than on X and Y coordinates as described above.  FIG. 6B  shows an exemplary zone or cell, with a page-identifier encoded in the center of the cell in alphanumeric characters and with a location code encoded by a sequence of embedded concentric localization markings, each of which is a quasi-square with a corner missing, the orientation of the missing corner of each localization marking thus indicating one of four values corresponding to the four quadrants illustrated in  FIG. 6A ; by starting with the outermost localization marking in  FIG. 6 B, and by taking the indicated quadrant, the specified cell in  FIG. 6A  is reached.」（第８ページ段落［０１３０］）
　
　Ｆｉｇ．６Ｂには，位置コードを表す画像パターンとして，迷路様のパターンが記載されている。
　
（２）対比
　本願発明と引用発明を対比する。
　引用発明において，光学ペン２２５が座標データを入力するデバイスであることは明らかであるから，引用発明の「光学ペン２２５」は，本願発明の「入力デバイス」に相当する。また，引用発明において，光学ペン２２５が座標パターンの画像から座標データを生成していることは明らかであり，また，引用発明の「座標データ」と本願発明の「手書きのストロークを表すデータ」は，「データ」である点で一致するから，引用発明と本願発明は，「データを生成するための入力デバイス」である点で一致する。
　引用発明の「表示部２３」は，本願発明の「オブジェクト」に相当する。また，引用発明の「画像」，「領域」及び「画像情報」は，それぞれ本願発明の「画像」，「エリア」及び「画像データ」に相当する。さらに，引用発明の画像を「読み取」ることは，本願発明の画像を「取り込」むことに相当する。そうすると，引用発明において，光学ペン２２５は，表示部２３上の所定の領域の情報を読取ることができ，ＣＣＤ４１が読取領域に含まれる座標パターンの画像を読取り，ＣＣＤ４１によって読取られた画像情報は，信号処理部４３に送られ，また，光学ペン２２５が表示部２３上の所定の領域の情報を読取る際に，光学ペン２２５がその領域の上部に位置すること及びＣＣＤ４１が読み取った画像から画像情報を生成することは明らかであるから，引用発明の「ＣＣＤ４１」は，本願発明の該入力デバイスが上部に位置するオブジェクトのエリアの画像を取り込み，取り込まれた画像データを生成するための「画像取り込みユニット」に相当する。
　引用発明において，信号処理部４３，ドット検出部２３１，データ補正部２３３及び座標検出部２３５は，読み取られた画像情報を処理していることは明らかであり，引用発明の「信号処理部４３，ドット検出部２３１，データ補正部２３３及び座標検出部２３５」は，本願発明の「プロセッサ」と，「処理部」である点で一致しているから，引用発明と本願発明は，「前記取り込まれた画像データを処理する処理部」を有する点で一致する。
　引用発明の「画像表示装置」，「座標データ」及び「座標パターン」は，それぞれ本願発明の「ディスプレイ」，「位置情報」及び「画像パターン」に相当する。また，引用発明の「表示部２３」は，「画像表示装置」を有しているのは明らかである。引用発明において，画像表示装置は座標パターンを表示しているから，画像表示装置は座標パターンを含んでいることは明らかであり，また，座標パターンが画像表示装置の領域の座標データを提供することは明らかであるから，引用発明の「画像表示装置」は，本願発明の「ディスプレイ内のエリアの位置情報を提供する画像パターンを含むディスプレイ」に相当する。
　引用発明の「座標」は，本願発明の「位置」に相当する。また，引用発明において，読取領域に含まれる画像は，表示部２３上の座標を特定するための座標パターンであるから，当該画像が表示部２３上の領域の座標を表す画像情報を含むことは明らかである。したがって，引用発明は，本願発明の「前記入力デバイスが上部に位置する前記エリアの前記画像は，前記オブジェクトの前記エリアの位置を表す画像データを含」む構成に相当する構成を有している。
　引用発明において，表示部２３上の領域の座標を表す画像情報が，表示部２３上の座標を特定するための座標パターンを含むことは明らかである。したがって，引用発明は，本願発明の「前記オブジェクトの前記エリアの位置を表す前記画像データは，前記オブジェクトの前記エリアの前記位置を表す画像パターンを含」む構成に相当する構成を有している。
　
　すると，本願発明と引用発明とは，次の点で一致する。
＜一致点＞
「データを生成するための入力デバイスであって，
　該入力デバイスが上部に位置するオブジェクトのエリアの画像を取り込み，取り込まれた画像データを生成するための画像取り込みユニットと，
　前記取り込まれた画像データを処理する処理部と，
　前記オブジェクトは，ディスプレイ内のエリアの位置情報を提供する画像パターンを含むディスプレイを有し，
　前記入力デバイスが上部に位置する前記エリアの前記画像は，前記オブジェクトの前記エリアの位置を表す画像データを含み，
　前記オブジェクトの前記エリアの位置を表す前記画像データは，前記オブジェクトの前記エリアの前記位置を表す画像パターンを含むことを特徴とする入力デバイス。」
　
　一方，両者は次の点で相違する。
＜相違点１＞
　本願発明では，生成するデータが手書きのストロークを表すデータであり，手書きのストロークを表すデータは取り込まれた画像データから抽出された位置情報から割り出されるものであるのに対し，引用発明では，これらの構成について記載がない点。
＜相違点２＞
　本願発明では，取り込まれた画像データを処理する処理部がプロセッサであるのに対し，引用発明では，取り込まれた画像データを処理する信号処理部４３，ドット検出部２３１，データ補正部２３３及び座標検出部２３５がプロセッサであるとの記載がない点。
＜相違点３＞
　本願発明では，データを記憶するメモリを具備するのに対し，引用発明では，この構成について明確な記載がない点。
＜相違点４＞
　本願発明のディスプレイが，コンピューティングデバイスのディスプレイであるのに対し，引用発明のディスプレイが，コンピューティングデバイスのものであるかについて明確な記載がない点。
＜相違点５＞
　本願発明のオブジェクトのエリアの位置を表す画像パターンは，迷路様のパターンの一部を含むのに対し，引用発明のオブジェクトのエリアの位置を表す画像パターンは，横方向において横両端を除き６ドット単位に分割され，縦方向においても６ドット単位に分割されることにより，全体として１０６×４０個のブロックを有するように構成されたものである点。
　
（３）当審の判断
　上記相違点について検討する。
＜相違点１についての検討＞
　ＣＣＤなどにより取り込まれた画像データから抽出された位置情報に基づいて手書きのストロークを表すデータを生成するための入力デバイスは，国際公開第０１／０４８５９０号（特表２００３−５１８６８７号）（特に，第７ページ第１４行目〜第１１ページ第１２行目，Ｆｉｇ．１及びＦｉｇ．２参照。）及び米国特許第５８５２４３４号明細書（特に，第５欄第１行目〜第６欄第５１行目及びＦｉｇ．１〜Ｆｉｇ．７参照。）に記載されているように，本願優先日前周知である。したがって，座標データを生成するための入力デバイスである引用発明において，上記周知技術を適用して，手書きのストロークを表すデータを生成するための入力デバイスとし，手書きのストロークを表すデータは取り込まれた画像データから抽出された位置情報から割り出されるように構成することは，当業者が容易に想到し得ることである。
　
＜相違点２についての検討＞
　画像データを処理するプロセッサは，文献を示すまでもなく，本願優先日前周知である。したがって，引用発明において，上記周知技術を適用し，信号処理部４３，ドット検出部２３１，データ補正部２３３及び座標検出部２３５をプロセッサとすることは，当業者が適宜なし得ることである。
　
＜相違点３についての検討＞
　引用発明において，画像データ又は座標データに対して処理が行われているが，この処理の際に，当該データを一旦メモリに記憶していることは明らかである。したがって，引用発明において，データを記憶するメモリを具備するように構成することは，当業者が適宜なし得ることである。
　
＜相違点４についての検討＞
　上記（１）（ａ）の引用例１の摘記Ａ．【０００５】には，「座標を検出するための技術は，パーソナルコンピュータやワークステーションや電子手帳などにおける入力手段またはビデオデッキや電子レンジなどの家電製品における操作手段などに応用される重要な技術」との記載があり，引用例１において，引用発明をコンピューティングデバイスに応用することが示唆されている。したがって，上記示唆により，引用発明のディスプレイをコンピューティングデバイスのディスプレイとすることは，当業者が適宜なし得ることである。
　
＜相違点５についての検討＞
　オブジェクトのエリアの位置を表す画像パターンは，各エリアの画像パターンごとに一意の位置情報となることを満たすことを条件として，どのような画像パターンとするかは，当業者が適宜決定し得る設計的事項である。また，引用例２には，位置コードに関する画像パターンをカメラで取り込むことにより，位置コードを得るポインター（本願発明の「入力デバイス」に相当。）において，位置コードに関する画像パターンを迷路様のパターンとする技術が記載されている。したがって，引用発明において，オブジェクトのエリアの位置を表す画像パターンを，迷路様のパターンの一部を含むように構成することは，当業者が適宜なし得ることである。
　
　また，本願発明の構成によって生じる効果も，当業者が予測できるものである。
　
（４）むすび
　以上のとおり，本願発明は，引用発明，引用例２に記載された技術及び周知技術に基づいて，当業者が容易に発明をすることができたものであるから，特許法第２９条第２項の規定により特許を受けることができない。
　よって，結論のとおり審決する。